(57)【特許請求の範囲】
【請求項１】
使用者のキーの入力により伝送されるキーデータが電話番号の格納番地であるかを判断する格納番地判断工程と、
該格納番地判断工程において前記キーデータが格納番地である場合に、該格納番地に該当する前記電話番号の格納番地の下位に、相互に関連する複数の電話番号がそれぞれ格納されている複数の細部項目の全てを選択する細部項目識別キーが包含されているかを判断する細部項目判断工程と、
該細部項目判断工程において前記キーデータに前記細部項目識別キーが包含されている場合に、前記キーデータにおいて前記細部項目識別キーの次に、前記細部項目の１つを選択するための細部項目キーが入力されていると、該細部項目キーに該当する電話番号を呼出して通話連結を行なう工程と、
を順次行うことを特徴とする移動通信端末機の電話番号アクセス方法。
【請求項２】
前記通話連結を行なう工程において、前記細部項目識別キーが包含されている場合に、前記格納番地の全ての細部項目をディスプレイ部に表示する工程をさらに含むことを特徴とする請求項１に記載の移動通信端末機の電話番号アクセス方法。
【請求項３】
前記ディスプレイ部に表示された全ての細部項目から１つの細部項目が前記細部項目キーによって選択されることを特徴とする請求項２に記載の移動通信端末機の電話番号アクセス方法。
【請求項４】
移動通信端末機の使用者がキー入力部により、相互に関連する複数の電話番号をキーデータとして入力すると、入力される前記各電話番号を移動通信端末機の１つの電話番号格納番地の下位に形成された細部項目のそれぞれに格納する工程と、
前記使用者が前記格納番地を入力すると、該入力された格納番地の前記細部項目のいずれかに格納された電話番号にアクセスする工程と、を順次行う移動通信端末機の電話番号アクセス方法であって、
前記アクセスする工程は、
移動通信端末機の使用者がキー入力部により入力するキーデータが前記格納番地であるかを判断する工程と、
前記キーデータが前記格納番地であると判断される場合に、前記キーデータに前記細部項目の全てを選択する細部項目識別キーが包含されているかを判断する工程と、
該判断する工程において前記細部項目識別キーが包含されていると判断される場合に、前記格納番地の全ての細部項目をディスプレイ部に表示する工程と、
前記ディスプレイ部に表示された全ての細部項目から１つの細部項目を使用者が細部項目キーを利用して選択すると、前記選択された細部項目に格納されている電話番号を呼出して通話連結を行なう工程と、
を順次行うことを特徴とする移動通信端末機の電話番号アクセス方法。
【請求項５】
前記使用者が入力するキーデータが前記格納番地であるかを判断する工程において、前記入力されたキーデータが前記格納番地でないと判断される場合に、入力されたキーによる通常の電話通話連結を行うことを特徴とする請求項４に記載の移動通信端末機宜電話番号アクセス方法。、
【請求項６】
前記キーデータに細部項目識別キーが包含されているかを判断する工程において、前記細部項目識別キーが包含されていない場合に、入力された前記格納番地に該当する電話番号に通話連結を行なうことを特徴とする請求項４に記載の移動通信端末機の電話番号アクセス方法。
【請求項７】
前記通話連結を行なう工程において、前記細部項目キーにより選択された細部項目に該当の電話番号が存在しない場合に、前記ディスプレイ部にエラーメッセージを表示することを特徴とする請求項４に記載の移動通信端末機の電話番号アクセス方法。
【請求項８】
移動通信端末機の使用者が電話番号の格納番地を入力すると、該当格納番地の下位の細部項目に格納された電話番号にアクセスして通話連結を試みる電話番号アクセス方法であって、
前記使用者が前記格納番地を入力する段階と、
前記使用者が前記細部項目の全てを選択する細部項目識別キーを入力する段階と、
前記格納番地と前記細部項目識別キーとが順次入力されると、前記細部項目識別キーの入力以後に前記細部項目の１つを選択するために入力される細部項目キーに該当する電話番号に通話連結を行なう段階と、
を含むことを特徴とする移動通信端末機の電話番号アクセス方法。
【請求項９】
前記細部項目識別キーが入力されないと、前記格納番地に該当する電話番号に通話連結を行うことを特徴とする請求項８に記載の移動通信端末機の電話番号アクセス方法。
【請求項１０】
移動通信端末機の使用者が電話番号の格納番地を入力すると、該当格納番地の下位の複数の細部項目のいずれか１つに格納された電話番号にアクセスして通話連結を試みる移動通信端末機の電話番号アクセス方法であって、
前記使用者が電話番号の格納番地を入力する段階と、
次いで、前記使用者が、前記細部項目の全てを選択する細部項目識別キーを入力する段階と、
前記電話番号の格納番地と前記細部項目識別キーとが順次入力されると、前記格納番地に格納された全ての細部項目をディスプレイ部に表示する段階と、
前記表示された細部項目のうち、使用者が細部項目キーを利用して１つの細部項目を選択すると、該選択された細部項目に該当する電話番号に通話連結を行なう段階と、
を含むことを特徴とする移動通信端末機の電話番号アクセス方法。
【請求項１１】
前記細部項目識別キーが入力されないと、前記格納番地に該当する電話番号に通話連結を行うことを特徴とする請求項１０に記載の移動通信端末機の電話番号アクセス方法。
【発明の詳細な説明】
【０００１】
【発明の属する技術分野】
本発明は、移動通信端末機の電話番号をアクセスする方法に係るもので、詳しくは、移動通信端末機の使用者により入力される格納番地を利用して移動通信端末機の電話番号をアクセスする方法に関するものである。
【０００２】
【従来の技術】
一般に、移動通信端末機の使用者は、移動通信端末機のメモリ内に電話番号の格納領域を割当して、各電話番号及びそれら電話番号の関連情報を格納し、それら格納された電話番号に通話連結を行う場合、電話番号に格納された該当の格納番地の格納番地を利用して通話の連結を行う。この時、使用者が電話番号の格納番地を記憶していない場合には、電話番号検索メニューによって、格納番地、電話番号及び電話番号格納時に、入力された氏名などを利用してメモリの電話番号の格納領域に格納されたデータと一致する電話番号を検索し、該検索された電話番号と通話連結を行うようになっている。
【０００３】
且つ、このように構成された従来の移動通信端末機の電話番号アクセス方法は、使用者が特定人に関連された住宅の電話番号、会社の電話番号及び携帯電話番号を各格納番地として設定して格納するために、同一使用者に対する電話番号の管理が不便で、該当の格納番地を全て記憶することが困難であるので、格納番地を利用した電話番号のアクセス機能を效率的に使用することができないという不都合な点があった。
【０００４】
このような問題点を解決するために、特定格納番地を設定してそれら格納番地の下位に細部項目の電話番号を格納した後、それら細部項目中一つを代表電話番号に設定する方法がある。例えば、住宅、事務室及び携帯電話のような細部項目から構成された格納番地を格納番地と連結するために細部項目に格納された各電話番号中一つを代表電話番号に設定していた。
【０００５】
即ち、従来の移動通信端末機の電話番号アクセス方法においては、図５に示したように、移動通信端末機は、使用者が待機モード（ｉｄｌｅ  ｍｏｄｅ）でキーを押すことで、発生するキーデータを感知して使用者のキーの入力可否を判別し（Ｓ１１）、該判別の結果、キーが入力されると、該入力されたキーが格納番地であるかを判別して（Ｓ１２）、前記格納番地が入力されないと、使用者のキーの入力可否を再び判別する（Ｓ１１）。この時、移動通信端末機は、使用者により入力されるキーが長い時間押される信号により発生すると格納番地に判断して、基準時間以内の間、押されると一般の番号が入力されたと判断する。
【０００６】
且つ、使用者により入力されたキーが格納番地の場合には、入力されたキーと一致する格納番地の存在可否を判別して（Ｓ１３）、一致する格納番地が存在しない場合、ディスプレイ部にエラーメッセージをディスプレイして（Ｓ１４）、使用者のキーの入力可否を再び判断する（Ｓ１１）が、入力されたキーと一致する格納番地が存在すると、該当の格納番地の詳細項目の電話番号中、代表番号に設定された電話番号に通話の連結が行われる（Ｓ１５）。
【０００７】
次いで、通話が行われて（Ｓ１６）、通話が終了されると、前記使用者がキーの入力を感知する工程に戻り、その入力されたキーが格納番地でない場合には、該入力されたキーを電話番号に定義して一般の電話通話を行い（Ｓ１７）、この時、上記入力されたキーが正しい電話番号の構造に構成されている場合には、通話連結が行われる。
【０００８】
又、図６に示したように、例えば、移動通信端末機にグループ別の電話番号が格納されて、使用者が金太郎の携帯電話番号に電話をかけるために金太郎に該当する格納番号０３２を移動通信端末機のキー入力部から入力して、該入力された０３２が格納番地に判別されると、これに該当する格納番地が検索されて金太郎の代表番号の携帯電話番号０１９−７８９−１２３４が移動通信端末機のディスプレイ部に表示されて通話の連結が行われる。
【０００９】
【発明が解決しようとする課題】
然るに、このような従来の移動通信端末機の電話番号アクセス方法においては、使用者が格納番地を利用して該格納番地に格納された電話番号に通話連結を行う場合、該当する格納番地の代表電話のみに通話が連結されるために、該当する格納番地の代表電話でない他の電話番号に通話連結をしようとする場合には、格納番地を使用することができないので、使用者メニューの検索機能により使用者が電話番号を検索するか又は直接電話番号を入力して通話連結を行わなければならないという不都合な点があった。
【００１０】
本発明は、このような従来の課題に鑑みてなされたもので、移動通信端末機の使用者により入力される格納番地としての該格納番地の細部項目電話番号を提供することで、該格納番地を利用して細部項目の電話番号をアクセスし得る移動通信端末機の電話番号アクセス方法を提供することを目的とする。
【００１１】
【課題を解決するための手段】
本発明の移動通信端末機の電話番号アクセス方法は、使用者のキーの入力により伝送されるキーデータが格納番地であるかを判断する工程と、前記キーデータの格納番地に細部項目キーが包含されているかを判断する工程と、前記細部項目をディスプレイ部に表示して該当の電話番号を呼出して通話連結を遂行する工程と、を順次行うことを特徴とする。
【００１２】
本発明の移動通信端末機の電話番号アクセス方法は、一連の番号を包含する前記細部項目は、前記格納番地の下位に形成されることを特徴としてもよい。
【００１３】
本発明の移動通信端末機の電話番号アクセス方法は、上記格納番地であるかの判断は、移動通信端末機の待機モードで使用者がキー入力部を押しているかを判断する工程と、使用者により発生したキーデータに格納番地が包含されているかを判断する工程と、を順次行うことを特徴としてもよい。
【００１４】
本発明の移動通信端末機の電話番号アクセス方法は、上記細部項目の判断は、入力されたキーデータが格納番地でないと、該当のモードを遂行する工程と、入力されたキーが格納番地である場合、細部項目の識別キーの包含可否を判断する工程と、入力されたキーから細部項目の識別キーが検出されると、該当の細部項目をディスプレイ部に表示する工程と、入力されたキーから細部項目の識別キーが検出されないと、格納番地中、入力されたキーと一致する格納番地の存在可否を判別する工程と、入力キーと一致する格納番地が存在すると、該当する格納番地の代表電話番号に通話連結を行う工程と、入力キーと一致する格納番地が存在しない場合、ディスプレイ部に一致する格納番地がないというエラーメッセージを表示する工程と、を順次行うことを特徴としてもよい。
【００１５】
本発明の移動通信端末機の電話番号アクセス方法は、上記通話連結は、細部項目を表示する識別キーが検出されると、該当の格納番地の細部項目をディスプレイ部に表示する工程と、該表示された細部項目を使用者が選択するかを判別する工程と、前記細部項目中、使用者が選択する細部項目に該当する電話番号に通話連結を行う工程と、検出された識別キーが細部項目のキーを包含している場合、入力されたキーデータから細部項目を検索して該当の電話番号が存在するかを判断する工程と、前記電話番号が存在しない場合、該当の細部項目の電話番号が存在しないというメッセージをディスプレイ部に表示する工程と、を順次行うことを特徴としてもよい。
【００１６】
本発明の移動通信端末機の電話番号アクセス方法は、移動通信端末機の使用者がキー入力部により入力されるキーデータをメモリに格納する工程と、前記キーデータの格納番地値及びその下位の細部項目を設定する工程と、を順次行うことを特徴としてもよい。
【００１７】
本発明の移動通信端末機の電話番号アクセス方法は、上記メモリの格納は、キー入力部から伝送されるキーデータが存在するかを判別する工程と、使用者が前記キーデータの格納番地の細部項目を設定してキー入力部から伝送されたキーデータを格納する工程と、を順次行うことを特徴としてもよい。
【００１８】
本発明の移動通信端末機の電話番号アクセス方法は、上記格納番地の設定は、使用者が入力されたキーデータをメモリに格納するかの可否を判断する工程と、キーデータの格納番地を決定し、該当の格納番地の細部項目を決定する工程と、を順次行うことを特徴としてもよい。
【００１９】
本発明の移動通信端末機の電話番号アクセス方法は、上記格納番地は、格納番地の使用順序によって自動に設定されるか又は使用者が選択した格納番地が選択されることで設定されることを特徴としてもよい。
【００２０】
本発明の移動通信端末機の電話番号アクセス方法は、上記細部項目は、格納番地の下位に複数の一連番号を包含して構成されることを特徴としてもよい。
【００２１】
本発明の移動通信端末機の電話番号アクセス方法は、使用者が移動通信端末機の電話番号格納番地の下位の細部項目に、該当の電話番号を格納する工程と、移動通信端末機の使用者が、入力する電話番号の格納番地により細部項目の電話番号をアクセスする工程と、を順次行うことを特徴としてもよい。
【００２２】
本発明の移動通信端末機の電話番号アクセス方法は、上記細部項目は、格納番地の下位に複数の一連番号を包含して構成されることを特徴としてもよい。
【００２３】
本発明の移動通信端末機の電話番号アクセス方法は、移動通信端末機の使用者がキー入力部により入力されるキーデータをメモリに格納する工程と、キーデータの格納番地値及びその下位の細部項目を設定する工程と、を順次行うことを特徴としてもよい。
【００２４】
本発明の移動通信端末機の電話番号アクセス方法は、上記キーデータをメモリに格納する工程は、前記キー入力部から伝送されるキーデータが存在するかを判別する工程と、前記格納番地の細部項目を決定し、使用者がキー入力部から伝送されたキーデータを格納する工程と、を順次行うことを特徴としてもよい。
【００２５】
本発明の移動通信端末機の電話番号アクセス方法は、上記格納番地の設定は、入力されたキーデータをメモリに格納するかを判断する工程と、前記キーデータの格納番地を決定し、該当の格納番地の細部項目を決定する工程と、を順次行うことを特徴としてもよい。
【００２６】
本発明の移動通信端末機の電話番号アクセス方法は、使用者がキー入力部により入力されたキーデータが格納番地であるかを判断する工程と、前記キーデータの格納番地に細部項目キーが包含されているかを判断する工程と、前記細部項目をディスプレイ部に表示して該当の電話番号を呼出して通話連結を遂行する工程と、を順次行うことを特徴としてもよい。
【００２７】
本発明の移動通信端末機の電話番号アクセス方法は、前記細部項目は、電話番号を格納する格納番地に識別キーが包含されているかによって決定されることを特徴としてもよい。
【００２８】
本発明の移動通信端末機の電話番号アクセス方法は、上記格納番地の判断は、移動通信端末機の通話待機モードを遂行中、キー入力部が押されたかを判断する工程と、キー入力部から発生したキーデータに格納番地が包含されているかを判断する工程と、を順次行うことを特徴としてもよい。
【００２９】
本発明の移動通信端末機の電話番号アクセス方法は、上記細部項目の判断は、入力されたキーが格納番地値でないと、入力されたキーにより一般の電話通話連結を行う工程と、入力されたキーが格納番地値である場合、細部項目の識別キーの包含可否を判断する工程と、細部項目の識別キーが検出されると、該当の細部項目をディスプレイ部に表示する工程と、入力キーと一致する格納番地が存在すると、該当の格納番地の代表電話番号に通話連結行う工程と、一致する格納番地が存在しない場合、ディスプレイ部にエラーメッセージを表示する工程と、を順次行うことを特徴としてもよい。
【００３０】
本発明の移動通信端末機の電話番号アクセス方法は、上記通話連結の工程は、前記細部項目を表示する識別キーが包含されている場合、該当の格納番地の細部項目をディスプレイ部に表示する工程と、表示された細部項目中、使用者が選択する細部項目に該当する電話番号に通話連結する工程と、を順次行うことを特徴としてもよい。
【００３１】
本発明の移動通信端末機の電話番号アクセス方法は、上記通話連結の工程は、検出された識別キーが細部項目値を包含している場合、入力されたキーデータを検出して該当の電話番号が存在するかを判断する工程と、該電話番号が存在すると、通話連結を行う工程と、前記電話番号が存在しない場合、ディスプレイ部にエラーメッセージを表示する工程と、を順次行うことを特徴としてもよい。
【００３２】
本発明の移動通信端末機の電話番号アクセス方法は、キー入力部によりキーデータが入力される工程と、該キーデータの格納番地及び細部項目値を設定する工程と、該当の格納番地の細部項目にキーデータを格納する工程と、使用者がキー入力部により入力したキーデータが格納番地であるかを判断する工程と、前記キーデータの格納番地に細部項目キーが包含されているかを判断する工程と、前記細部項目をディスプレイ部に表示して該当の電話番号を呼出して通話連結を遂行する工程と、を順次行うことを特徴としてもよい。
【００３３】
本発明の移動通信端末機の電話番号アクセス方法は、上記格納番地と一致するデータが存在しないか又は前記細部項目に電話番号が存在しない場合、ディスプレイ部にエラーを表示する工程が追加して包含されることを特徴としてもよい。
【００３４】
本発明の移動通信端末機の電話番号アクセス方法は、上記格納番地及び細部項目は、使用者が設定しない場合、優先順位によって順次自動に設定されることを特徴としてもよい。
【００３５】
本発明の移動通信端末機の電話番号アクセス方法は、上記細部項目の識別キーが包含されている場合、該当の格納番地の細部項目を表示し、前記細部項目の識別キーが包含されていないと、キーデータと一致する格納番地の代表番号に通話を行うことを特徴としてもよい。
【００３６】
本発明の移動通信端末機の電話番号アクセス方法は、上記識別キーが特定細部項目を指定すると、該当の細部項目に格納された電話番号に通話連結する工程と、
前記識別キーが特定細部項目を指定しない場合、該当の格納番地の細部項目リストを表示した後、使用者の選択による電話番号に通話連結を行う工程と、を順次行うことを特徴としてもよい。
【００３７】
このような目的を達成するため、本発明に係る移動通信端末機の電話番号アクセス方法においては、使用者のキーの入力により伝送されるキーデータが格納番地であるかを判断する工程と、前記キーデータの格納番地に細部項目（図４の符号１）、２）、３）参照）のキーが包含されているかを判断する工程と、前記細部項目をディスプレイ部に表示して該当の電話番号を呼出して通話の連結を遂行する工程と、を順次行うことを特徴とする。
【００３８】
又、本発明に係る移動通信端末機の電話番号アクセス方法においては、移動通信端末機の使用者がキー入力部により入力されるキーデータをメモリに格納する工程と、前記キーデータの格納番地値及びその下位の細部項目（図４の符号１）、２）、３）参照）を設定する工程と、を順次行うことを特徴とする。
【００３９】
又、本発明に係る移動通信端末機の電話番号アクセス方法においては、移動通信端末機の使用者が電話番号格納番地の下位の細部項目に該当する電話番号を格納する工程と、前記移動通信端末機の使用者により入力される電話番号の格納番地により細部項目の電話番号をアクセスする工程と、を順次行うことを特徴とする。
【００４０】
且つ、本発明に係る移動通信端末機の電話番号アクセス方法においては、キー入力部によりキーデータとしての電話番号が入力される工程と、キーデータの格納番地（図４の符号（０３２）参照）及び細部項目値を設定する工程と、該当の格納番地の細部項目にキーデータとしての電話番号を格納する工程と、使用者がキー入力部により入力したキーデータが前記格納番地に該当するかを判断する工程と、前記キーデータの格納番地に前記細部項目値が包含されているかを判断する工程と、前記細部項目値をディスプレイ部に表示して該当の電話番号を呼出して通話連結を遂行する工程と、を順次行うことを特徴とする。
【００４１】
【発明の実施の形態】
以下、本発明の実施の形態に対し、図面を用いて説明する。
【００４２】
本発明に係る移動通信端末機においては、図１に示したように、移動通信端末機に各種の命令が入力されるキー入力部２と、移動通信端末機の動作状態が表示されるディスプレイ部３と、移動通信端末機の運用アルゴリズム又は電話番号が格納されるメモリ部４と、移動通信端末機の制御信号を出力する制御部１と、を包含して構成されている。
【００４３】
且つ、上記キー入力部２は、移動通信端末機の使用者により入力される格納番地（図４の符号（０３２）参照）又は電話番号のようなキーデータを上記制御部１に伝送し、該制御部１で行われたデータ処理結果及び格納番地を利用することでアクセスされる電話番号が前記ディスプレイ部３に表示される。
【００４４】
又、上記メモリ部４は、移動通信端末機の後述する運用アルゴリズムを包含する不揮発性メモリのＲＯＭ（Ｒｅａｄ  Ｏｎｌｙ  Ｍｅｍｏｒｙ）と、上記キー入力部２に入力される電話番号を格納するために電話番号の格納領域が包含された揮発性メモリのＲＡＭ（Ｒａｎｄｏｍ  Ａｃｃｅｓｓ  Ｍｅｍｏｒｙ）と、を包含して構成され、前記電話番号の格納領域は、設定された細部項目を包含する格納番地から構成されるが、例えば、０００番地の格納領域に図４に示したような１．住宅、２．会社、３．携帯電話の順に設定された細部項目から構成されている。
【００４５】
又、上記制御部１は、移動通信端末機の使用者により入力されたキーが格納番地であるかを判別して、入力されたキーと一致する格納番地の細部項目を検索し、その検索された電話番号に係る各種の運用工程を次のように遂行する。
【００４６】
即ち、上記運用アルゴリズムは、移動通信端末機の待機モードで入力される電話番号としてのキーデータを上記メモリ部４に格納する工程と、該当のキーデータを上記ディスプレイ部３に表示する工程と、その格納されたキーデータが格納番地であるか判別した後、該判別された格納番地によって該当の電話番号に通話連結を行う工程と、を順次行うようになってある。
【００４７】
この時、格納番地は、＊又は＃のような特定記号を前記細部項目の前に表示することもできるし、前記細部項目の前に特定記号を組合した＃＃又は＊＊のように格納番地の細部項目を表示することもできる。
【００４８】
本発明に係る移動通信端末機の電話番号格納方法においては、図２に示したように、移動通信端末機の待機モード（ｉｄｌｅ  ｍｏｄｅ）で上記制御部１が使用者のキー選択により上記キー入力部２から伝送されるキーデータを判別するために使用者のキーの入力可否を感知して（Ｓ２１）、上記キー入力部２からキーデータが伝送されると、入力されたキーに該当するキーデータをバッファーに格納して入力されたキーがメモリに格納されるかを判断する（Ｓ２２）。
【００４９】
次いで、格納されていないと選択されると、使用者の選択したキーに該当するモード（例えば、通話キーが選択されると、通話連結が行われる通話モード）を実行し（Ｓ２３）、格納され選択されると、入力されたキーをメモリの電話番号の格納領域に格納番地の使用順によって自動に設定するかを判別するＳ２４。
【００５０】
次いで、格納番地が自動に設定されると選択されると、入力されたキーを格納番地の使用順によって格納番地として設定し（Ｓ２５）、格納番地が自動に設定されないと、使用者が選択した格納番地を前記入力されたキーデータの格納番地に設定する（Ｓ２６）。次いで、該格納番地が設定されたキーデータを格納番地の細部項目中、何れか一つの細部項目に格納すべきかの可否を判断して（Ｓ２７）、細部項目が選択されると、該選択された細部項目を入力されたキーデータの細部項目に決定し（Ｓ２８）、該細部項目が選択されないと、自動に設定される細部項目に入力されたキーデータの細部項目を決定する（Ｓ２９）。
【００５１】
次いで、該決定された細部項目に入力されたキーデータの情報が、選択された格納番地に入力されたかの可否を判別し（Ｓ３０）、情報が前記格納番地に入力されている場合、該設定された格納番地の細部項目に入力されたキーデータ及び情報を格納して終了し（Ｓ３１）、前記情報が格納番地に入力されていないと、該情報を格納して終了する（Ｓ３２）。
【００５２】
このような電話番号格納方法により移動通信端末機に格納された電話番号を格納番地を利用してアクセスする方法においては、図３に示したように、移動通信端末機の入力部２に使用者がキーを入力して該キー入力部２から伝送される入力キーが制御部１によって格納番地であるかを判別する工程と、キーデータの細部項目キーが包含されているかを判別する工程と、該判別された細部項目キーによって該細部項目を上記ディスプレイ部３に表示して該当の電話番号に通話連結を遂行する工程と、を順次行うようになっている。
【００５３】
即ち、上記格納番地の判別工程は、移動通信端末機の待機モード（ｉｄｌｅ  ｍｏｄｅ）で使用者が第３者との通話のためにフリップ又はフォルダーを開くと、使用者がキーボードを選択することで、上記キー入力部２から伝送されるキーデータを上記制御部１が感知して使用者のキーの入力可否を判断し（Ｓ５１）、該判断結果、入力されたキーデータが存在する場合には、前記キーデータが格納番地データであるかを判断するＳ５２。
【００５４】
次いで、上記キーデータが格納番地でないと、一般の電話に通話を連結し（Ｓ５３）、前記キーデータが格納番地である場合、細部項目の識別キー（＊、＃、＊＊及び＃＃）の包含可否を判別する（Ｓ５４）。次いで、上記入力されたキーから細部項目の識別キーが検出されると、該検出された識別キーに該当の細部項目が上記ディスプレイ部３に表示されているか判断して（Ｓ５５）、入力されたキーから細部項目の識別キーが検出されないと、電話番号の格納領域の格納番地中、入力されたキーと一致する格納番地の存在可否を判別する（Ｓ５６）。
【００５５】
次いで、上記入力されたキーと一致する格納番地が存在すると、該当の格納番地の代表電話番号に通話の連結を行い（Ｓ５７）、一致する格納番地が存在しない場合、上記ディスプレイ部３と一致する格納番地がないことを表示するエラーメッセージを表示した後（Ｓ５８）、使用者のキーの入力を感知する工程に戻る（Ｓ５１）。
【００５６】
次いで、上記細部項目キーを判別する工程から検出された識別キーが細部項目を表示する識別キーである場合（＊＊又は＃＃）、入力されたキーに該当する格納番地の細部項目を上記ディスプレイ部３に表示して（Ｓ５９）、該表示された細部項目を使用者が選択するか又は感知する（Ｓ６０）。次いで、前記細部項目中、使用者により選択された細部項目に該当する電話番号に通話連結を行って（Ｓ６１）、該通話が連結されて通話が行われた後、終了される（Ｓ６５）。
【００５７】
前記検索された識別キーが細部項目のキーを包含すると、入力されたキーから細部項目キーを検出して該検出された細部項目キーに該当する電話番号の存在可否を判断し（Ｓ６２）、該電話番号が存在すると、該当の電話番号に通話連結を行い（Ｓ６３）、前記電話番号が存在しない場合、該当の細部項目の電話番号が存在しないことを示すエラーメッセージを上記ディスプレイ部３に表示した後（Ｓ６４）、使用者がキーの入力を感知する（Ｓ５１）。次いで、通話が行われた後、アクセスの工程が終了される（Ｓ６５）。
【００５８】
以下、このような本発明に係る移動通信端末機の電話番号アクセス方法をより詳しく説明する。
【００５９】
移動通信端末機の使用者が移動通信端末機に、図４に示したように、特定相手の電話番号情報を格納すると、使用者は、電話番号の入力によって移動通信端末機のキー入力部２に電話番号に該当する数字を入力する。
【００６０】
該電話番号に該当する各数字の０１９−７８９−１２３４が入力された後、使用者が入力されたキーを格納するために格納キーを選択すると、上記ディスプレイ部３には入力されたキーが格納される格納番地の指定を要求するメッセージが表示される。
【００６１】
この時、該メッセージは、格納番地自動設定の機能により電話番号の格納領域の使用可能な格納番地中、使用優先の順位を有する格納番地が自動に選択されて表示されるが、使用者が任意に格納番地を変更して選択することもできる。
【００６２】
例えば、格納番地が０３２番地に選択されると、０３２番地の細部項目を選択するために、１．住宅、２．事務室及び３．携帯電話等に設定された細部項目中、入力されたキーに該当の細部項目の３．携帯電話を選択して、これに該当する氏名又は別名として金太郎を入力すると、０３２番地は金太郎に設定され、３．携帯電話には入力されたキーの０１９−７８９−１２３４が格納される。且つ、使用者は、入力されたキーに該当の細部項目の３．携帯電話に代表番号を選択して０３２番地の代表番号を設定する。
【００６３】
このような工程により格納番地０３２に金太郎の住宅、事務室及び携帯電話に該当する電話番号を入力して格納することで、使用者は、その格納された細部項目の電話番号を、格納番地を利用して、該格納番地及び細部項目の識別キーによってアクセスすることができる。
【００６４】
又、前記細部項目の識別キーを＊に定義して、細部項目のディスプレイ部３の表示を＊＊に定義すると、使用者が金太郎の住宅電話番号に該当する番地及び詳細項目を正確に記憶している場合、使用者は金太郎の住宅電話番号に該当する格納番地として３、２＊１のみを入力することで、金太郎の住宅に電話をかけることができる。
【００６５】
又、使用者が各３、２及び１のキーを入力すると、制御部１でそれら３、２＊１から細部項目の識別キーの＊を検出して細部項目キーが包含されたことを判別する。
【００６６】
次いで、細部項目キーが判別されると、識別キーの後に包含される細部項目キーに該当する１．住宅の電話番号の存在を把握して電話番号がある場合、該当の電話番号にて通話連結を行う。
【００６７】
又、他の実施形態として、使用者が金太郎の事務室に電話をかけようとするとき、事務室に該当の細部項目番号を知らない場合、使用者は金太郎に該当する格納番地０３、２及び該格納番地に該当の細部項目を表示するための＊＊を入力し、このような０３２＊＊が入力されると、該入力された格納番地に該当する格納番地の細部項目が移動通信端末機のディスプレイ部３に表示され、該表示された細部項目中通話連結をしようとする項目を使用者が選択することで、通話連結を遂行することもできる。
【００６８】
【発明の効果】
以上説明したように、本発明に係る移動通信端末機の電話番号のアクセス方法においては、通話しようとする電話番号が代表番号でない場合に、格納番地及び細部項目を示すキーを識別キーと一緒に入力することで、細部項目に該当する電話番号に、電話の連結をすることができるし、且つ、細部項目を記憶していない場合にも、細部項目をディスプレイ部に表示することで、使用者が確認後、電話をかけ得るという効果がある。
【図面の簡単な説明】
【図１】本発明に係る移動通信端末機の内部構成を示したブロック図である。
【図２】本発明に係る移動通信端末機の電話番号格納動作を示したフローチャートである。
【図３】本発明に係る移動通信端末機の電話番号アクセス方法を示したフローチャートである。
【図４】本発明に係る移動通信端末機に格納された電話番号アクセス方法の実施形態を示した構成図である。
【図５】従来の移動通信端末機の電話番号のアクセス動作を示したフローチャートである。
【図６】従来の移動通信端末機に格納された電話番号を示した構成図である。
【符号の説明】
１  制御部
２  キー入力部
３  ディスプレイ部
４  メモリ部
【図１】
0003754001.tif 000002
【図２】
0003754001.tif 000003
【図３】
0003754001.tif 000004
【図４】
0003754001.tif 000005
【図５】
0003754001.tif 000006
【図６】
0003754001.tif 000007